(57)【特許請求の範囲】
【請求項１】
床基盤上に所定間隔で敷設された支持脚の間に架設された大引と、
前記大引の上部に前記大引の長手方向と直交するように設けられた根太と、
前記根太の上部に敷設された捨板と、
前記捨板の上部に敷設されたフローリング板と、
を備えた、室内競技施設用の床構造であって、
前記フローリング板が、前記捨板の長手方向と前記フローリング板の長手方向とが直交し、かつ１枚の前記フローリング板が少なくとも１枚の前記捨板を跨ぐように敷設され、
前記捨板は、長手方向が繊維方向である単板、長手方向が繊維方向である単板を繊維方向が同じ向きとなるように複数組み合わせた合板、単板の繊維方向が垂直となるように交互に複数の単板を組み合わせた合板、または繊維方向のない板であり、
前記フローリング板の長手方向が繊維方向であり、
前記捨板の長手側の端部が前記根太の長手方向に沿って前記根太上に固定され、
前記捨板の短手側の側面が前記大引の長手方向に沿って前記大引の上側に位置するように前記捨板が前記根太上に設けられると共に、前記捨板の長手方向の長さが、式（１）:Ｌ１１＝ｋ１×Ｄ１  ・・・（１）
（式中、Ｌ１１は、捨板の長手方向の長さであり、ｋ１は２であり、Ｄ１は、隣接する大引同士の間隔である。）
を満たしてなり、
前記捨板の長手方向と前記フローリング板の長手方向とを直交させて前記捨板を跨ぐように前記フローリング板を配置して、前記捨板の上側から前記フローリング板が前記捨板の収縮を抑えつけ、かつ前記捨板の長手側の端部を前記根太の長手方向に沿って前記根太上に固定して、前記捨板の下側から前記根太が前記捨板の収縮を抑えつけ、前記捨板の寸法変化を前記捨板の両面から抑制することを特徴とする、床構造。
【請求項２】
前記捨板の長手方向と直交する方向の長さが、下記式（２）を満たす、請求項１に記載の床構造。
Ｌ１２＝ｋ２×Ｄ２  ・・・（２）
（式中、Ｌ１２は、捨板の長手方向と直交する方向の長さであり、ｋ２は２以上の整数であり、Ｄ２は、隣接する根太同士の間隔である。）
【請求項３】
前記フローリング板の長手方向と直交する方向の両端面が、前記捨板の長手方向に沿う両側面と同じ位置にならないように設けられ、
前記フローリング板の長手方向の長さが、下記式（３）を満たす、請求項１または２に記載の床構造。
Ｌ２１＝ｋ３×Ｌ１２  ・・・（３）
（式中、Ｌ２１は、フローリング板の長手方向の長さであり、ｋ３は２以上の整数であり、Ｌ１２は、捨板の長手方向と直交する方向の長さである。）
【請求項４】
前記フローリング板の長手方向の両端が、前記捨板の長手方向と直交する方向の両端と同じ位置にならないように配置される、請求項１〜３のいずれか一項に記載の床構造。
【請求項５】
前記フローリング板の長手方向と直交する方向の両端が、前記捨板の長手方向の両端と同じ位置にならないように配置される、請求項１〜４のいずれか一項に記載の床構造。
【請求項６】
隣接する前記捨板同士の短手側の端面の両端の位置が一致し、かつ隣接する前記捨板同士の長手側の端面の両端の位置が一致しないように前記捨板の長手方向にずれて配置されている、請求項１〜５のいずれか一項に記載の床構造。
【請求項７】
隣接する前記フローリング板同士の短手側の端面の両端の位置が一致し、かつ隣接する前記フローリング板同士の長手側の端面の両端の位置が一致しないように前記フローリング板の長手方向にずれて配置されている、請求項１〜６のいずれか一項に記載の床構造。
【請求項８】
前記大引が、９００ｍｍ間隔で設けられている、請求項１〜７のいずれか一項に記載の床構造。
【請求項９】
前記根太が、３００ｍｍ間隔で設けられている、請求項１〜８のいずれか一項に記載の床構造。
【請求項１０】
前記捨板の前記長手方向の長さが１８００ｍｍであり、かつ前記捨板の前記短手方向の長さが９００ｍｍである、請求項１〜９のいずれか一項に記載の床構造。
【請求項１１】
前記フローリング板の前記長手方向の長さが１８００ｍｍであり、かつ前記フローリング板の短手方向の長さが２２２ｍｍである、請求項１〜１０のいずれか一項に記載の床構造。
【請求項１２】
床基盤上に所定間隔で敷設された支持脚に支持された大引の上部に、前記大引の延在方向と直交するように根太を設け、
前記根太の上面に複数の捨板を敷設し、
前記捨板の上面に複数のフローリング板を敷設する、室内競技施設の床の施工方法であって、
前記フローリング板を、前記捨板の長手方向と前記フローリング板の長手方向とが直交し、かつ、１枚のフローリング板が少なくとも１枚の捨板を跨ぐように敷設し、
前記捨板として、長手方向が繊維方向である単板、長手方向が繊維方向である単板を繊維方向が同じ向きとなるように複数組み合わせた合板、単板の繊維方向が垂直となるように交互に複数の単板を組み合わせた合板、または繊維方向のない板を用い、
前記フローリング板の長手方向を繊維方向とし、
前記捨板の長手側の端部を前記根太の長手方向に沿って前記根太上に固定し、
前記捨板の短手側の側面を前記大引の長手方向に沿って前記大引の上側に位置するように前記捨板を前記根太上に設けると共に、前記捨板の長手方向の長さが、式（１）:Ｌ１１＝ｋ１×Ｄ１  ・・・（１）
（式中、Ｌ１１は、捨板の長手方向の長さであり、ｋ１は２であり、Ｄ１は、隣接する大引同士の間隔である。）
を満たし、
前記捨板の長手方向と前記フローリング板の長手方向とを直交させて前記捨板を跨ぐように前記フローリング板を配置して、前記捨板の上側から前記フローリング板で前記捨板の収縮を抑えつけ、かつ前記捨板の長手側の端部を前記根太の長手方向に沿って前記根太上に固定して、前記捨板の下側から前記根太で前記捨板の収縮を抑えつけ、前記捨板の寸法変化を前記捨板の両面から抑制することを特徴とする、床の施工方法。
【発明の詳細な説明】
【技術分野】
【０００１】
本発明は、床構造およびその施工方法に関する。
【背景技術】
【０００２】
体育館や多目的ホール等の室内競技施設の床は、人が激しく運動したり、ボールを弾ませたりするため、運動の場として十分な運動性能を発揮できるように、床全面が均一に適度な弾力性を有していることが要求されている。
【０００３】
そのため、室内競技施設の床構造は、一般的に、コンクリートスラブなどの基礎面に所定間隔で支持脚が配置され、これら支持脚上に複数の大引が並行に複数架設され、これら大引の上に更に複数の根太が大引の長手方向との直交方向に並列に配置され、根太上に矩形状の捨板およびフローリング板が敷設された構造としている（例えば、特許文献１、非特許文献１、２参照）。
【０００４】
上記のような室内競技施設の床構造では、例えば、図７に示すように、基礎面に所定間隔で配置した支持脚１０１上に複数本の大引１０２を並行に複数架設し、大引１０２の上に根太１０３を大引１０２の長手方向との直交方向に並列に複数配置し、捨板１０４の長手方向と根太１０３の長尺方向とが直交するように捨板１０４を複数の根太１０３上に敷設して、捨板１０４の長手方向とフローリング板１０５の長手方向とを一致するようにフローリング板１０５を捨板１０４上に敷設している。
【先行技術文献】
【特許文献】
【０００５】
【特許文献１】特開平８−１０９７３５号公報
【非特許文献】
【０００６】
【非特許文献１】「体育館床工事標準施工要領書」，日本体育床下地工業会，平成１７年８月１日
【非特許文献２】「フローリング張り標準仕様書」，日本フローリング工業会，平成２２年２月１日
【発明の概要】
【発明が解決しようとする課題】
【０００７】
ところで、近年、気密性や断熱性の高い建築材料を使用することにより、優れた空調効率を有する建築物が供給されるようになってきており、体育館や多目的ホール等といった室内競技施設においても気密性や断熱性が高い建築材料が使用されるようになってきている。特に、最近では、体育館等に冷暖房装置を設置したり、自然エネルギーを利用して床下に地中からの暖気を通風させて床暖房を行うようなことが行われている。このような最近の室内競技施設は、快適性は高いものの、冬期では従来と比較して湿度がかなり低くなる可能性がある。特に、室内競技施設の室内は、加湿器などにより湿度を一定に保つことはできるが、冬期の床下は非常に湿度が低く乾燥した状態となり易い。
【０００８】
木材は、一般に、乾燥すると、繊維方向と直交する方向に収縮する割合が大きい。また、捨板、捨板の表面に敷設されたフローリング板は、これらの長手方向が繊維方向である場合が多い。そのため、上記したような床構造では、床下が非常に乾燥した状態になると、捨板は、捨板の幅方向、すなわち、捨板の長手方向と直交する方向（短手方向）に収縮する割合が大きくなる。そのため、図７に示すような、従来から適用されている床構造では、捨板が幅方向に収縮すると、捨板の表面に敷設されたフローリング板の長手方向に沿う側面の一部が、隣接するフローリング板の長手方向に沿う側面の一部と圧接した状態になる。そして、その状態で床を使用すると、床面の振動によりフローリング板の長手方向に沿う側面同士が擦れあい、フローリング板の一部が長手方向に沿って裂けて、床面に亀裂が生じたり、ささくれが生じる可能性がある。このような床面の損傷は、室内競技施設の利用者等の事故に繋がる可能性もあり、より安全な床構造が求められている。
【０００９】
本発明は、上記に鑑みてなされたものであって、床面に亀裂が生じたり、ささくれが生じることを抑制し、安全性に優れた床構造を提供することを目的とする。
【課題を解決するための手段】
【００１０】
上述した課題を解決し、目的を達成するために、本発明者らは、床構造について鋭意研究をした。その結果、捨板の長手方向とフローリング板の長手方向とが直交するように捨板上にフローリング板を敷設し、かつ１枚のフローリング板が少なくとも１枚の捨板を跨いで１枚の捨板に対して複数のフローリング板を敷設するようにすると、捨板またはフローリング板の一方の収縮率の変動が小さいかほとんど収縮しない方向を、他方の収縮率の変動が大きい方向と同じ向きとできるため、捨板およびフローリング板の収縮による影響を双方互いに打ち消し合うようにすることができる。これにより、フローリング板の端面に亀裂が生じたり、ささくれが生じることを抑制できることを見出した。本発明は、係る知見に基づいて完成されたものである。
【００１１】
すなわち、本発明による床構造は、床基盤上に所定間隔で敷設された支持脚の間に架設された大引と、前記大引の上部に前記大引の長手方向と直交するように設けられた根太と、前記根太の上部に敷設された捨板と、前記捨板の上部に敷設されたフローリング板と、を備えた床構造であって、前記フローリング板が、前記捨板の長手方向と前記フローリング板の長手方向とが直交し、かつ１枚の前記フローリング板が少なくとも１枚の前記捨板を跨ぐように敷設されていることを特徴とする、床構造である。
【００１２】
本発明においては、前記捨板の長手方向が、前記根太の長手方向に対して並行に配置されることが好ましい。
【００１３】
本発明においては、前記捨板の長手方向に沿う両側面が前記根太の長手方向に沿って前記根太上に設けられ、前記捨板の長手方向の長さが、下記式（１）の式を満たすことが好ましい。
Ｌ１１＝ｋ１×Ｄ１  ・・・（１）
（式中、Ｌ１１は、捨板の長手方向の長さであり、ｋ１は２以上の整数であり、Ｄ１は、隣接する大引同士の間隔である。）
【００１４】
本発明においては、前記捨板の長手方向に沿う両側面が前記根太の長手方向に沿って前記根太上に設けられ、前記捨板の長手方向と直交する方向の長さが、下記式（２）を満たすことが好ましい。
Ｌ１２＝ｋ２×Ｄ２  ・・・（２）
（式中、Ｌ１２は、捨板の長手方向と直交する方向の長さであり、ｋ２は２以上の整数であり、Ｄ２は、隣接する根太同士の間隔である。）
【００１５】
本発明においては、前記フローリング板の長手方向と直交する方向の両端面が、前記捨板の長手方向に沿う両側面と同じ位置にならないように設けられ、前記フローリング板の長手方向の長さが、下記式（３）を満たすことが好ましい。
Ｌ２１＝ｋ３×Ｌ１２  ・・・（３）
（式中、Ｌ２１は、フローリング板の長手方向の長さであり、ｋ３は２以上の整数であり、Ｌ１２は、捨板の長手方向と直交する方向の長さである。）
【００１６】
本発明においては、前記フローリング板の長手方向の両端が、前記捨板の長手方向と直交する方向の両端と同じ位置にならないように配置されることが好ましい。
【００１７】
本発明においては、前記フローリング板の長手方向と直交する方向の両端が、前記捨板の長手方向の両端と同じ位置にならないように配置されることが好ましい。
【００１８】
本発明においては、隣接する前記捨板が、前記捨板の短手方向に沿う側面が一致し、かつ前記捨板の長手方向に沿う側面が一致しないように配置されていることが好ましい。
【００１９】
本発明においては、隣接する前記フローリング板が、前記フローリング板の短手方向に沿う側面が一致し、かつ前記フローリング板の長手方向に沿う側面が一致しないように配置されていることが好ましい。
【００２０】
本発明においては、前記大引が、９００ｍｍ間隔で設けられていることが好ましい。
【００２１】
本発明においては、前記根太が、３００ｍｍ間隔で設けられていることが好ましい。
【００２２】
本発明においては、前記捨板の前記長手方向の長さが１８００ｍｍであり、かつ前記捨板の前記短手方向の長さが９００ｍｍであることが好ましい
【００２３】
本発明においては、前記フローリング板の前記長手方向の長さが１８００ｍｍであり、かつ前記フローリング板の短手方向の長さが２２２ｍｍであることが好ましい。
【００２４】
本発明においては、前記捨板が、前記根太の長手方向と前記捨板の長手方向とが一致するように載置されていることが好ましい。
【００２５】
本発明においては、前記捨板と前記フローリング板との何れか一方又は両方の長手方向が繊維方向であることが好ましい。
【００２６】
本発明においては、室内競技施設の床構造であることが好ましい。
【００２７】
本発明による床の施工方法は、床基盤上に所定間隔で敷設された支持脚に支持された大引の上部に、前記大引の延在方向と直交するように根太を設け、前記根太の上面に複数の捨板を敷設し、前記捨板の上面に複数のフローリング板を、前記捨板の長手方向と前記フローリング板の長手方向とが直交し、かつ、１枚のフローリング板が少なくとも１枚の捨板を跨ぐように敷設することを特徴とする、床の施工方法である。
【００２８】
本発明においては、前記捨板の長手方向が、前記捨板の長手方向であり、前記捨板の長手方向を、前記根太の長手方向に対して並行に配置することが好ましい。
【発明の効果】
【００２９】
本発明によれば、床面に亀裂が生じたり、ささくれが生じることを抑制し、安全性に優れた床構造とすることができる。
【図面の簡単な説明】
【００３０】
【図１】本発明の実施形態に係る床構造の構成を簡略に示す斜視図である。
【図２】本発明の実施形態に係る床構造の構成を簡略に示す平面説明図である。
【図３】支持脚に設置した大引と根太との連結状態を示す斜視図である。
【図４】図３のＡ−Ａ断面図である。
【図５】図３のＢ−Ｂ方向から見た図である。
【図６】木材の３軸方向の関係を示す説明図である。
【図７】従来の室内競技施設の床構造の一例を簡単に示す説明図である。
【発明を実施するための形態】
【００３１】
以下、本発明を実施するための形態（以下、実施形態という）を図面に基づいて詳細に説明する。なお、下記実施形態により本発明が限定されるものではない。また、下記実施形態における構成要素には、当業者が容易に想定できるもの、実質的に同一のものが含まれる。さらに、下記実施形態で開示した構成要素は適宜組み合わせることが可能である。また、床構造等の説明の便宜上、下記に示す例においては床基盤を下に配置した図と共に説明がなされるが、本発明は、必ずしもこの配置で使用等がなされるわけではない。なお、以下の説明において、フローリング板が設けられる方向を上または上方といい、床基盤の方向を下または下方という場合がある。
【００３２】
［実施形態］
＜床構造＞
本発明の実施形態に係る床構造について説明する。本実施形態に係る床構造は、体育館、多目的ホール等の室内競技施設に用いられるものである。図１は、本発明の実施形態に係る床構造の構成を簡略に示す斜視図であり、図２は、本発明の実施形態に係る床構造の構成を簡略に示す平面説明図である。図１に示すように、本実施形態に係る床構造は、支持脚１１と、大引１２と、根太１３と、捨板１４と、フローリング板１５とを備えている。
【００３３】
支持脚１１は、基礎面としての床スラブ（床基盤）１６上に所定間隔で立設されている。図３は、支持脚１１に設置した大引１２と根太１３との連結状態を示す斜視図であり、図４は、図３のＡ−Ａ断面図であり、図５は、図３のＢ−Ｂ方向から見た図である。図３〜図５に示すように、支持脚１１は、床スラブ１６に設置される支持台２１、支持台２１に立設される支持ボルト（調節ボルト）２２、ナット２３、支持ボルト２２の上部に固定される受け具２４、緩衝材（弾性部材）２５、および締結具２６を有する。
【００３４】
支持台２１は、その断面が台形型形状の鋼板からなり、下端部には平板状の台座部２７が設けられている。台座部２７は、止着ピンまたは接着剤等を用いて床スラブ１６に固定される。支持台２１は、上面部の中央には支持ボルト２２を保持するための保持孔２８が設けられている。支持ボルト２２は、その上部近傍が締結ナット２３ａを用いて受け具２４に固定される。また、支持ボルト２２は、その下部近傍が締結ナット２３ｂを用いて支持台２１の保持孔２８に固定される。支持脚１１は、支持ボルト２２およびナット２３を調節することで、受け具２４の高さを調整することができる。
【００３５】
支持台２１同士の間隔は、ＪＩＳ  Ａ  ６５１９の規定に基づいて調整され、この規定の範囲内であれば、室内競技施設における床の設置面積等に応じて適宜調整できるが、例えば、９００〜１，４００ｍｍ間隔で設けられ、好ましくは、９００ｍｍ間隔で設けられている。また、複数の支持台２１の配置または配列は、各列共に、等間隔または千鳥状でもよい。なお、壁側、補強部分などの支持台２１同士の間隔は、９００ｍｍ以下とする。
【００３６】
受け具２４は、鋼板をプレス加工により屈曲成形して得られるものである。受け具２４は、中央に形成された平坦な受板部３１、この受板部３１の両端からそれぞれ上方に立設された側面部３２を有する断面略Ｕ字状の部材である。側面部３２の上部近傍には締結具２６を取り付けるための取付孔３３が設けられている。また、受け具２４は、受板部３１の裏面部の中央に、孔が設けられている。前記孔と六角ナット３４の孔とが貫通する状態で六角ナット３４が溶接により固定されている。そして、支持ボルト２２の上端部を六角ナット３４に螺入し、締結ナット２３ａを用いて受け具２４を支持ボルト２２に固定する。
【００３７】
緩衝材２５は、受け具２４の内壁に沿って形成された断面略Ｕ字形状の部材である。緩衝材２５としては、従来公知のものを用いることができ、例えば、ゴム、合成樹脂等の弾性材料が用いられる。緩衝材２５は、その底部が受け具２４の受板部３１に載置されるとともに、その側面部が受け具２４の側面部３２に内接した状態で装着（接着）されている。
【００３８】
締結具２６は、所定の長さのボルト軸２６ａおよびナット２６ｂからなり、ボルト軸２６ａの回転により伸縮自在に長さ調整が可能な締め具である。ボルト軸２６ａは、ねじが刻設された棒状体である。取付孔３３にボルト軸２６ａを通してナット２６ｂでボルト軸２６ａの長さを調整することで、大引１２を緩衝材２５を介して受け具２４に固定することができる。
【００３９】
大引１２は、断面が四角形状であり、上面部４１、側面部４２、およびこれら側面部４２の下端からそれぞれ内向きに屈曲した屈曲形成された下面部４３からなる、断面が略Ｃ字形状の鋼材である。これら下面部４３同士の間には、所定の間隔の開口部が形成されている。大引１２は、受け具２４により支持脚１１の上部に支持され、これら支持脚１１間に架設される。
【００４０】
複数の大引１２は、等間隔に均等に配置されるようにしている。大引１２同士の間隔は、ＪＩＳ  Ａ  ６５１９の規定に基づいて調整され、この規定の範囲内であれば、室内競技施設における床の設置面積等に応じて適宜調整することができるが、例えば、９００〜１，４００ｍｍ間隔で設けられ、好ましくは、９００ｍｍ間隔で設けられている。なお、壁側等には、例えば１０〜５０ｍｍ程度の間隙を設けておくことが好ましい。
【００４１】
根太１３は、鋼板を断面が台形状にプレス加工したチャンネル鋼である。根太１３は、中央に形成された平坦な上面部５１、この上面部５１の両端からそれぞれ下方に立設された側面部５２、およびこれら側面部５２の下端の両側にはそれぞれ外向きに屈曲して形成されたフランジ部（係止部）５３からなる。
【００４２】
根太１３は、大引１１の受板部３１に配置され、大引１１の長手方向と直交するように設けられている。根太１３は、フランジ部５３に大引１１と固定するためのねじ部５４が設けられている。根太１３は、ねじ部５４でフランジ部５３を大引１１に係止させて、大引１１に固定する。
【００４３】
複数の根太１３は、大引１１の受板部３１に等間隔で均等に配置されるようにしている。根太１３同士の間隔は、例えば、約３００ｍｍ間隔で設けられている。なお、壁側等では、例えば１５〜３０ｍｍ程度の間隙を設けておくことが好ましい。
【００４４】
捨板１４は、根太１３の受板部３１に敷置される。捨板１４は、下張板ともいう。捨板１４は、矩形上の板であり、捨板１４としては、例えば、針葉樹材の単板、ラワン材等の広葉樹材の単板、これら針葉樹材または広葉樹材の合板、針葉樹材の単板および広葉樹材の単板が共に使用される合板、繊維板、配向性ストランドボード（Ｏｒｉｅｎｔｅｄ Ｓｔｒａｎｄ Ｂｏａｒｄ：ＯＳＢ）、パーチクルボード等が用いられる。繊維板としては、例えば、中質繊維板（Ｍｅｄｉｕｍ Ｄｅｎｓｉｔｙ ｆｉｂｅｒｂｏａｒｄ：ＭＤＦ）等が挙げられる。捨板１４は、根太１３に、例えば、接着剤やビスなどにより固定される。また、捨板１４が合板の場合、捨板１４は繊維方向が同じ向きとなるように複数の単板を組み合わせた合板でもよいし、繊維方向が垂直となるように交互に複数の単板を組み合わせた合板でもよい。また、捨板１４は、根太１３の受板部３１に敷置されるが、これに限定されるものではなく、床下地材とフローリング板１５との間に設けるようにしてもよい。
【００４５】
捨板１４は、捨板１４の原料となる木材の加工上の観点から、その長手方向が繊維方向となるようにして用いられることが好ましい。捨板１４は、上述の通り、針葉樹材や広葉樹材の単板または合板等の木材からなり、またフローリング板１５も同様に木材からなるが、木材は含水率に応じて、図６に示すような木材の板目（接線）方向、柾目(半径)方向、および長さ(繊維)方向の直交する３軸方向にそれぞれ伸び縮みする。これら３軸方向のそれぞれの方向の伸び縮みの割合（収縮率）は、一般に、３軸方向のそれぞれによって異なり、板目（接線）方向が最も大きく収縮し、ついで柾目(半径)方向が大きく、長さ(繊維)方向にはほとんど収縮しない傾向がある。そのため、木材からなる捨板１４およびフローリング板１５は、これらの収縮率により生じるこれらの寸法変化が、接線方向が最も大きく、ついで半径方向が大きく、繊維方向がほとんど変化しないことになる。本実施形態においては、フローリング板１５が、後述するように、その長手方向が繊維方向となるようにして用いられ、かつフローリング板１５が捨板１４の繊維方向である長手方向と直交するように設けられる。そのため、捨板１４の収縮率の変動が小さいかほとんど収縮しない方向（捨板１４の長手方向）が、フローリング板１５の繊維方向と直交する方向（フローリング板１５の収縮率の変動が大きい方向）と同じ向きとなる。このため、捨板１４の短手方向（幅方向）の寸法変化が大きくても、それと同じ向きに相当するフローリング板１５の長手方向の寸法変化が小さいかほとんどない。そのため、たとえ捨板１４が長手方向と直交する方向（板目方向）に収縮したとしても、従来の床構造のように、フローリング板１５の長手方向が捨板１４の長手方向と平行するようにフローリング板１５を設けた場合と比較して、フローリング板１５の長手方向に沿う側面の一部が、隣接するフローリング板１５の長手方向に沿う側面の一部との圧接が抑制される。その結果、床下が非常に乾燥した状態となっても、フローリング板１５が長手方向に沿って裂けたり、床面に亀裂が生じたり、ささくれたりすることが抑制される。なお、ここでは、捨板１４の長手方向が繊維方向の繊維板である場合について説明したが、これに限定されるものではなく、捨板１４が繊維方向のない板でも同様に適用できる。
【００４６】
また、捨板１４とフローリング板１５とが固定されているため、捨板１４の短手方向（幅方向）の収縮を抑制するようにフローリング板１５が機能し、従来の床構造と比較して捨板自体の収縮も抑制することができる。
【００４７】
本実施形態においては、捨板１４は、その長手方向と直交する方向である短手方向の長さＬ１２が、２つ以上の根太１３の間隔と同じ長さであり、捨板１４は、その長手方向に沿う両側面が根太１３上に位置するように設けられている。これにより、捨板１４は、その長手方向が根太１３の長手方向に対して並行に根太１３上に設けることができる。捨板１４の長手方向に沿う側面１４ｂ側の両端部を捨板１４の長手方向に沿って根太１３に固定できるため、捨板１４を根太１３の長手方向に沿って根太１３上に安定して設けることができる。特に、捨板１４の長手方向が繊維方向である場合、上記の通り、捨板１４の短手方向の方が捨板１４の長手方向よりも捨板１４の収縮率が大きくなるため、捨板１４の収縮率が大きい端面側を捨板１４の長手方向に沿って根太１３に複数箇所で固定することで、より安定して捨板１４の収縮率の変動に起因して生じる捨板１４の寸法変化を抑えることができる。
【００４８】
本実施形態においては、捨板１４の長手方向に沿う側面（長手端面）１４ｂ側の両端部が根太１３の長手方向に沿って根太１３上に設けられ、捨板１４の長手方向の長さＬ１１が、下記式（１）を満たすようにしている。本実施形態では、捨板１４の長手方向の長さＬ１１が、並列に配置される大引１２の２つ分の間隔の長さとしている。これにより、捨板１４の短手方向に沿う側面（短手端面）１４ａの捨板１４同士の接合部分の安定性を高めることができる。
Ｌ１１＝ｋ１×Ｄ１  ・・・（１）
（式中、Ｌ１１は、捨板の長手方向の長さであり、ｋ１は２以上の整数であり、Ｄ１は、隣接する大引同士の間隔である。）
【００４９】
本実施形態においては、捨板１４の長手方向に沿う側面（長手端面）１４ｂ側の両端部が、根太１３の長手方向に沿って根太１３上に設けられ、捨板１４の短手方向の長さＬ１２が、下記式（２）を満たすようにしている。本実施形態では、捨板１４の短手方向の長さＬ１２が、並列に配置される根太１３の３つ分の間隔の長さとしている。これにより、捨板１４を根太１３の長手方向に沿って根太１３上に安定して設けることができる。
Ｌ１２＝ｋ２×Ｄ２  ・・・（２）
（式中、Ｌ１２は、捨板の長手方向と直交する方向（短手方向）の長さであり、Ｄ２は、隣接する根太同士の間隔であり、ｋ２は２以上の整数である。）
【００５０】
捨板１４は、隣接する捨板１４同士の短手端面１４ａが一致し、長手端面１４ｂが一致しないようにずれるようにして配置されている。捨板１４の長手方向が繊維方向である場合、上記のように、捨板１４の収縮率の変動による捨板１４の長手方向の寸法変化は、ほとんど無いか小さいため、捨板１４の寸法変化に起因して隣接するフローリング板１５の長手方向に沿う側面（長手端面）１５ｂにささくれが生じることは殆どない。
【００５１】
捨板１４の長手方向の長さＬ１１は、ＪＩＳ  Ａ  ６５１９の規定に基づいて調整され、好ましくは、１，８００ｍｍ〜１，８４０ｍｍの範囲内に設定され、より好ましくは、１，８００ｍｍ〜１，８２０ｍｍの範囲内であり、最も好ましくは、１，８００ｍｍ程度である。
【００５２】
また、捨板１４の短手方向の長さＬ１２は、ＪＩＳ  Ａ  ６５１９の規定に基づいて調整され、好ましくは、８９０〜９１０ｍｍの範囲内に設定され、より好ましくは、９００ｍｍ程度である。
【００５３】
フローリング板１５が、捨板１４の上面に敷設されている。フローリング板１５は、捨板１４に、例えば、接着剤やビスなどにより固定される。
【００５４】
本実施形態においては、フローリング板１５は、その短手方向に沿う側面（短手端面）１５ａおよび長手端面１５ｂの位置が、捨板１４の短手端面１４ａおよび長手端面１４ｂの位置と重ならないようにずれて配置され、隣接するフローリング板１５同士の接合部分が、捨板１４の短手端面１４ａおよび長手端面１４ｂの位置と重ならないようにしている。これは、捨板１４の短手端面１４ａおよび長手端面１４ｂが根太１３上に位置するようにすることで、捨板１４上にフローリング板１５を固定し易くするためである。
【００５５】
フローリング板１５は、フローリング板１５の原料となる木材の加工上の観点から、その長手方向がフローリング板１５の繊維方向となるようにして用いられることが好ましい。
【００５６】
本実施形態においては、フローリング板１５は、その長手方向が捨板１４の長手方向と直交し、１枚のフローリング板１５が、１枚の捨板１４を跨ぐように敷設されている。すなわち、フローリング板１５は、捨板１４の長手端面１４ｂに隣接する捨板１４同士の間の目地１４ｃを跨いで敷設されている。なお、本実施形態においては、フローリング板１５が１枚の捨板１４を跨ぐように敷設されているが、これに限定されるものではなく、２枚の捨板１４を跨ぐように敷設されていてもよい。このように、フローリング板１５が、１枚の捨板１４を跨ぎ、フローリング板１５で跨がれた捨板１４の短手方向に沿う側面に隣接する２枚の捨板１４の一部まで伸びて固定されることにより、より一層、捨板１４の短手方向（幅方向）の収縮を抑制することができる。
【００５７】
本実施形態においては、フローリング板１５の長手方向と直交する方向である短手方向に沿う側面１５ａの両方が、捨板１４の長手方向に沿う側面１４ｂと同じ位置にならないように設けられ、フローリング板１５の長手方向の長さＬ２１が、下記式（３）を満たすようにしている。本実施形態では、フローリング板１５の長手方向の長さＬ２１が、並列に配置される根太１３の６つ分の間隔の長さとしている。
Ｌ２１＝ｋ３×Ｌ１２  ・・・（３）
（式中、Ｌ２１は、フローリング板の長手方向の長さであり、Ｌ１２は、捨板の長手方向と直交する方向の長さ（短手方向）であり、ｋ３は２以上の整数である。）
【００５８】
これにより、フローリング板１５の短手端面１５ａが捨板１４の短手端面１４ａの位置と重ならないようにできるため、捨板１４の寸法変化に起因してフローリング板１５の短手端面１５ａに亀裂が生じることを抑制でき、フローリング板１５を捨板１４上に安定して配置することができる。
【００５９】
隣接するフローリング板１５同士は、フローリング板１５の短手方向に沿う側面（短手端面）１５ａが一致し、長手端面１５ｂが一致しないようにずれるようにして配置されている。特に、フローリング板１５の長手方向が繊維方向である場合、上記のように、フローリング板１５の収縮率の変動に起因してフローリング板１５の長手方向における寸法変化は、ほとんど無いか小さいため、隣接するフローリング板１５の短手端面１５ａにささくれが生じることは殆どない。
【００６０】
フローリング板１５が、隣接する捨板１４の短手端面１４ａの目地１４ｃ上に配置される場合、目地１４ｃ上に位置するフローリング材１５は、その長手端面１５ｂが目地１４ｃ上に位置しないように配置されている。
【００６１】
フローリング板１５の長手方向の長さＬ２１は、特に限定されるものではなく床面積や施工条件等に応じて適宜調整することが可能であるが、好ましくは、１８００ｍｍ〜１８４０ｍｍの範囲内に設定され、より好ましくは、１８００ｍｍ〜１８２０ｍｍの範囲内であり、最も好ましくは、１８００ｍｍ程度である。これは、隣接する大引１２同士の間隔が、一般的に９００ｍｍ程度であり、隣接する根太１３同士の間隔が、一般的に３００ｍｍ程度であり、本実施形態では、フローリング板１５の短手端面１５ａおよび長手端面１５ｂが、捨板１４の短手端面１４ａおよび長手端面１４ｂ上に位置しないようずれて配置している。こうした施工上の観点から、フローリング板１５の長手方向の長さを１８００ｍｍとすれば、フローリング板１５の短手端面１５ａおよび長手端面１５ｂを、捨板１４の短手端面１４ａおよび長手端面１４ｂ上に位置しない長さにできるためである。
【００６２】
また、フローリング板１５の短手方向の長さＬ２２は、特に限定されるものではなく床面積や施工条件等に応じて適宜調整することが可能であるが、好ましくは、５５ｍｍ〜４５５ｍｍの範囲内に設定され、より好ましくは、２１５ｍｍ〜４５５ｍｍの範囲内である。
【００６３】
＜床の施工方法＞
次に、本実施形態に係る床構造の施工方法について説明する。上記本実施形態に係る床構造の施工に際しては、まず床スラブ１６の基礎面に支持脚１１を立設する。このとき、床スラブ１６の上部に複数の大引１２を所定間隔（例えば、約９００ｍｍ間隔）をおいて並行に配置するため、これら大引１２を敷設する位置に所定間隔（例えば、約９００ｍｍ間隔）で支持脚１１を配置するようにする。そして、各支持脚１１の支持台２１の台座部２７を止着ピンまたは接着剤等を用いて床スラブ１６に固定する。
【００６４】
次に、各支持脚１１の間に大引１２を架設し、この大引１２の両下面部４３を下にして受け具２４内の緩衝材２５の底部に載置する。大引１２を配置した後、各支持脚１１の支持ボルト２２を回転操作して、各支持脚１１の高さ調整を行う。
【００６５】
次に、各支持脚１１の高さを調整した後、受け具２４の側面部４２に設けた取付孔３３間に、締結具２６のボルト２６ａを挿通しナット２６ｂを締めて側面部４２同士を所定の圧力で挟み、大引１２を受け具２４に緩衝材２５を介して弾性保持しながら固定し、支持脚１１の上部で大引１２を支持する。各大引１２は、一定間隔をおいて互いに平行に配置される。
【００６６】
次に、大引１２の上部に、大引１２の長手方向と直交する方向に所定の間隔（例えば、約３００ｍｍ間隔）をおいて根太１３を配置し、ねじ部５４で根太１３のフランジ部５３を大引１２に固定する。
【００６７】
次に、根太１３の上部に複数の捨板１４を敷設して根太１３に固定する。図２に示すように、捨板１４は３つの根太１３間にわたって取り付ける。捨板１４の端部は、それぞれ根太１３の上部に接着材等を用いて固着する。また、必要に応じて、捨板１４同士を接続する場合には、接着剤、接着テープ等を用いる。捨板１４は、建物内の壁面の近傍まで配設する。
【００６８】
次に、これら捨板１４の上部にフローリング板１５を張り付けて、床面を仕上げる。捨板１４の上面に複数のフローリング板１５を、捨板１４の長手方向とフローリング板１５の長手方向とが直交し、かつ、１枚のフローリング板１５が少なくとも１枚の捨板１４を跨ぐように敷設する。以上のように、本実施形態に係る床構造が施工される。
【００６９】
本実施形態に係る床構造は、捨板１４をその長手方向が根太１３の長手方向と一致するように載置して、捨板１４の長手方向とフローリング板１５の長手方向とが直交するように捨板１４上にフローリング板１５を配置している。そして、本実施形態に係る床構造では、フローリング板１５が、１枚の捨板１４を跨ぎ、フローリング板１５で跨がれた捨板１４の長手方向に沿う側面１４ｂに隣接する２枚の捨板１４の一部まで伸びて固定されている。このため、フローリング板１５で跨がれた捨板１４が伸縮しても、その両端に位置する２枚の捨板１４により固定され、しかも捨板１４の寸法変化が小さいかほとんどない方向をフローリング板１５の寸法変化が大きい方向と同じ向きとし、かつ捨板１４の寸法変化が大きい方向をフローリング板１５の寸法変化が小さいかほとんどない方向と同じ向きとしている。これにより、捨板１４の寸法変化とフローリング板１５の寸法変化とを双方互いに打ち消し合うようにすることができる。また、本実施形態に係る床構造では、捨板１４の長手方向の変化率が小さいかほとんど収縮しない方向に沿って、複数のフローリング板１５、すなわち、捨板１４の長さ／フローリング板１５の幅の枚数分が配置され、また、フローリング板１５同士の接合部分が捨板１４の短手端面１４ａおよび長手端面１４ｂと重なることはなく、捨板１４の幅方向に対してフローリング板１５同士の接合部分の箇所は捨板１４が少なくとも２枚分となるようにしている。これにより、捨板１４の伸縮により生じる寸法変化が、フローリング板１５に影響を与えることを抑制することができる。
【００７０】
このように、捨板１４の寸法変化とフローリング板１５の寸法変化とを双方互いに打ち消し合うようにしつつ、捨板１４の寸法変化がフローリング板１５に与える影響を抑制することにより、例えば、低湿度環境下等において捨板１４およびフローリング板１５の含水率が低下して捨板１４が収縮した場合であっても、フローリング板１５の端面が裂けて亀裂が生じたり、ささくれが生じることを抑制することができる。これにより、耐久性に優れた床構造が形成され、安全性に優れた床構造とすることができる。
【００７１】
以上のように、本実施形態に係る床構造によれば、体育館など室内競技施設の床面のフローリング板が裂けて亀裂が生じたり、ささくれが生じることを抑制することができ、運動競技などに支障のない環境が得られ、体育施設として快適に利用することができるなど、信頼性が高い室内競技施設にすることができる。また、本実施形態に係る床構造は、既存の室内競技施設等においても使用可能であり、室内競技施設等の床の改修等の際にも適用することができる。
【００７２】
なお、本実施形態においては、捨板１４およびフローリング板１５の長手方向が繊維方向である繊維板の場合について説明したが、これに限定されるものではなく、捨板１４が、繊維方向が同じ単板を組み合わせた合板、単板の繊維方向が垂直となるように交互に複数の単板を組み合わせた合板、または繊維板以外の、例えばＯＳＢやパーチクルボード等でも同様に適用することができる。
【００７３】
本実施形態においては、大引１２は、受け具２４に固定して支持されているが、本実施形態はこれに限定されるものではなく、支持ボルト２２の上部に平板状の受け部を設け、前記受け部に大引１２を架設するようにしてもよい。
【００７４】
本実施形態においては、本実施形態に係る床構造は、体育館、多目的ホール等の運動、展示会やコンサート等が行なわれる室内競技施設に用いられる床構造の場合について説明したが、本実施形態は、これに限定されるものではなく、室内競技施設以外の住宅や、二重床を使用する施設の床構造についても好適に用いることができる。
【符号の説明】
【００７５】
１１  支持脚
１２  大引
１３  根太
１４  捨板（下張板）
１４ａ、１５ａ  短手方向に沿う側面（短手端面）
１４ｂ、１５ｂ  長手方向に沿う側面（長手端面）
１４ｃ  目地
１５  フローリング板
１６  床スラブ（床基盤）
２１  支持台
２１ａ  
２２  支持ボルト（調節ボルト）
２３、２６ｂ  ナット
２３ａ  締結ナット
２４  受け具
２５  緩衝材（弾性部材）
２６  締結具
２６ａ  ボルト軸
２７  台座部
２８  保持孔
３１  受板部
３２、４２、５２  側面部
３３  取付孔
３４  六角ナット
４１、５１  上面部
４３  下面部
５３  フランジ部（係止部）
５４  ねじ部
Ｌ１１  捨板の長手方向の長さ
Ｌ１２  捨板の長手方向と直交する方向の長さ
Ｌ２１  フローリング板の長手方向の長さ
Ｌ２２  フローリング板の長手方向と直交する方向の長さ
Ｄ１  大引の間隔
Ｄ２  根太の間隔
【図１】
0005882267.tif 000002
【図６】
0005882267.tif 000003
【図７】
0005882267.tif 000004
【図２】
0005882267.tif 000005
【図３】
0005882267.tif 000006
【図４】
0005882267.tif 000007
【図５】
0005882267.tif 000008